(57)【要約】【課題】  湖沼内における魚類相の定量的な把握を可能とし、また侵略的外来魚を効率よく捕獲し駆除できるようにする。【解決手段】  止水域もしくは緩流域の水際に沿って、上下方向が水面以上の高さから水底にまで達し且つ両側が岸に至るように捕獲対象としている水際部をほぼ完全に包囲する構造の定置網１０を設置し、その後、水位の低下を利用して、包囲した定置網内の魚類を全て捕獲可能とする。また、侵略的外来魚が浅瀬を主たる生息域とする時期に、水際部、例えば勾配がなだらかな入り江を閉塞するように定置網を設置することにより侵略的外来魚を捕獲駆除する。【選択図】  図１
2005229943.tif 000002
【特許請求の範囲】
【請求項１】
止水域もしくは緩流域の水際に沿って、上下方向が水面以上の高さから水底にまで達し且つ両側が岸に至るように捕獲対象としている水際部をほぼ完全に包囲する構造の定置網を設置し、その後、水位の低下を利用して、包囲した定置網内の魚類を全て捕獲可能とすることを特徴とする魚類の捕獲方法。
【請求項２】
侵略的外来魚が浅瀬を主たる生息域としている時期に、水際部を閉塞するように定置網を設置することにより侵略的外来魚を捕獲駆除する請求項１記載の魚類の捕獲方法。
【請求項３】
請求項１又は２記載の魚類の捕獲方法で用いる定置網であって、袋網の両側に、下縁が水底に位置するように重りを設けると共に上縁が水面よりも上方に突出するようにフロートを設けた袖網を配置することによって定置網ユニットを構成し、該定置網ユニットを複数、直接もしくは別の袖網を介して連結することで長さを自由に調整可能とし、それによって水際部をほぼ完全に包囲可能とした定置網。
【請求項４】
袖網の両側及び袋網の両側を着脱可能な結合構造として、長さ及び袋網の設置個数を自由に調整可能とした請求項３記載の定置網。
【請求項５】
袖網の下縁は重りとなる鎖とアンカーフックで水底との間を閉塞し、袖網の上縁部は、フロートを立ち上げた構造及び／又は補助網を立ち上げた構造とし、該フロート及び／又は補助網によって水面上に障害物を形成して魚の飛び越えを防止可能とした請求項３又は４記載の定置網。
【発明の詳細な説明】
【技術分野】
【０００１】
本発明は、捕獲対象としている水際部をほぼ完全に包囲する構造の定置網を用い、水位低下を利用して、包囲した定置網内の魚類を全て捕獲可能とした魚類の捕獲方法、及びその捕獲方法に好適な水際部完全包囲型の定置網に関するものである。この技術は、湖沼や貯水池などにおける魚類相の把握、及びオオクチバスやブルーギルなどの侵略的外来魚の駆除に有用である。
【背景技術】
【０００２】
近年、野生生物の保護管理における重点課題として、移入種（外来種）問題への対応が求められている。この移入種問題の中で最も注目を集めているのはオオクチバス（通称ブラックバス）をはじめとする外来魚対策である。特に、オオクチバスとブルーギルは捕食や餌の競合などを通じて在来の固有種ならびに有用生物資源に深刻な影響を及ぼし、生態系に大きな影響を与えることが懸念されている。
【０００３】
北アメリカ原産のオオクチバスは、１９７０年代以降、バス釣りブームの到来とともに分布が拡大し、主として止水域から緩流域に生息するため、現在ではダム湖などの止水域を中心に全国的に生息が確認されるようになっている。オオクチバスは、主として魚食性であるため、水域によっては本種の捕食圧のため，在来魚種の個体数が激減することが知られている。オオクチバスがわが国においてほかの外来魚以上に問題視される理由としては、（１）釣り愛好者の裾野が桁違いに広いこと、（２）私的放流による生息域拡大が容易で、それが実際に広範に行われていること、（３）生息水域が主として止水域であり、同様の環境を生息場所とする在来の絶滅危惧種が多く存在すること、（４）絶滅危惧種を含む在来生物の局所的激減（ときに消失）の直接的原因になったと推測される事例がすでに各所で確認されていること、が指摘されている。
【０００４】
在来種や生態系の保全を重視する観点から、このような影響を与える侵略的（在来の魚を補食する）外来種を抑制する必要性が指摘されている。全国内水面漁業協同組合連合会（１９９２）によると、オオクチバスの資源抑制対策として、捕獲や産卵床の破壊など様々な試みがなされているが、目立った成果を得るに至っていない。
【０００５】
ところで従来から、湖沼や貯水池などに生息している魚類を捕獲するために、様々な構造の魚網・漁具が開発され使用されている。魚網の代表的な例としては、定置網、刺網、地曳網、投網などがある。定置網に関しても、例えば特許文献１−３など様々な構造が提案されている。ただし、これら従来の漁網は、専ら食用資源などのために魚を捕獲することを目的としている。
【０００６】
湖沼などにおける魚類の実態を把握するため、更には在来種や生態系の保全を図るためには、まず、その湖沼内における魚類相を極力定量的に把握することが必要である。ところが、前記のような従来の漁具や漁法では、漁獲の目的が異なること、漁獲範囲に限りがあることなどにより、魚類相を定量的に把握することは困難である。また、在来種や生態系の保全には、オオクチバスやブルーギルなどの侵略的外来魚の様々なサイズの個体を効率よく捕獲し、駆除することが極めて重要であるが、従来の漁具や漁法では、これらの侵略的外来魚を効率よく捕獲することは困難であり、前記のように目立った成果は得られていない。
【０００７】
捕獲以外による駆除の方法としては、産卵床の破壊や産卵場の干出などもあるが、実際には底に溜まった泥などにより水が抜けなかったりするため、良好な結果が得られないことが多い。また、そのような破壊や干出は、他の魚種の生態系に悪影響を与える恐れが大きい。
【特許文献１】実開平５−６７２５３号公報
【特許文献２】実開平５−７４２６０号公報
【特許文献３】特開平７−２０３８０７号公報
【発明の開示】
【発明が解決しようとする課題】
【０００８】
本発明が解決しようとする課題は、従来の漁具や漁法では、湖沼内における魚類相の定量的な把握が困難である点、また侵略的外来魚を効率よく捕獲し駆除することができない点、そのため在来種や生態系の保全に目立った成果が得られていない点などである。
【課題を解決するための手段】
【０００９】
本発明は、止水域もしくは緩流域の水際に沿って、上下方向が水面以上の高さから水底にまで達し且つ両側が岸に至るように捕獲対象としている水際部をほぼ完全に包囲する構造の定置網を設置し、その後、水位の低下を利用して、包囲した定置網内の魚類を全て捕獲可能とすることを特徴とする魚類の捕獲方法である。この捕獲方法の典型的な例としては、侵略的外来魚が浅瀬を主たる生息域とする時期に、水際部を閉塞するように定置網を設置することにより侵略的外来魚を捕獲駆除する方法がある。
【００１０】
このような魚類の捕獲方法を実施する漁具としては、袋網の両側に、下縁が水底に位置するように重りを設けると共に上縁が水面よりも上方に突出するようにフロートを設けた袖網を配置することによって定置網ユニットを構成し、該定置網ユニットを複数、直接もしくは別の袖網を介して連結することで長さを自由に調整可能とし、それによって水際部をほぼ完全に包囲可能とした定置網が最適である。例えば、袖網の両側及び袋網の両側を着脱可能な結合構造として、長さ及び袋網の設置個数を自由に調整可能とするのが好ましい。
【００１１】
また、袖網の下縁は重りとなる鎖とアンカーフックで水底との間を閉塞し、袖網の上縁部は、フロートを立ち上げた構造及び／又は補助網を立ち上げた構造とし、該フロート及び／又は補助網によって水面上に障害物を形成して魚の飛び越えを防止可能とすることもできる。
【発明の効果】
【００１２】
本発明方法は、捕獲対象としている湖沼などの水際部をほぼ完全に包囲する構造の定置網を設置し、その後、水位の低下を利用して魚類を捕獲する方法であるので、包囲した定置網内の魚類を全て捕獲することができる。一般に、貯水池内などに生息する魚類は、水深の浅い水際部に集まる傾向があることから、本発明方法によって、貯水池内などの魚類相を定量的に把握することが可能となり、生態系の観察などに極めて有用である。
【００１３】
また、オオクチバスなどの侵略的外来魚は、産卵のために水深の浅い水域に集まることから、それら侵略的外来魚を、成魚も含めて効率よく捕獲し、駆除することができる。
【００１４】
更に本発明の定置網は、長さを自由に変えられるため、設置場所や設置条件に対する適応性に優れ、保守など取り扱いも容易である。
【発明を実施するための最良の形態】
【００１５】
本発明は、図１に示すように、止水域もしくは緩流域の水際に沿って、捕獲対象としている水際部をほぼ完全に包囲するように定置網１０を設置する。定置網１０は、上下方向が水面以上の高さから水底にまで達し且つ両側が湖岸１２に至るように水際部をほぼ完全に包囲するように構成する。この定置網１０は、袋網１４と、その両側に連続する袖網１６とによって定置網ユニット１８を構成し、該定置網ユニット１８を複数、直接もしくは袖網を介して連結することで長さを自由に変えることができるような構造としている。ここで袖網１６は、下縁が水底に位置するように重り２０を設けると共に上縁が水面もしくは水面を超えるようにフロート２２を設けた構造とする。そして、このような定置網１０を設置した後、ダム放流などによる水位の低下を利用して、包囲した定置網内の魚類を全て捕獲する。
【００１６】
この定置網１０は、水際部において例えば水深５ｍ程度の位置に張り巡らす。水深が深すぎると設置の作業性が悪くなるほか、大きな網が必要となり経済性の面でも好ましくないし、水深が浅すぎると魚類の捕獲が不十分となるからである。定置網の長さは、設置状況にもよるが、例えば十数ｍから数十ｍ以上、場合によっては百数十ｍに及ぶ。
【００１７】
侵略的外来魚が浅瀬を主たる生息域とする時期、特に侵略的外来魚の繁殖期に、水際部、特に勾配がなだらかな入り江を閉塞するように定置網を設置すると、侵略的外来魚を、成魚も含めて様々なサイズの個体を、効率よく捕獲し駆除することができる。このような捕獲方法が何故、外来魚の駆除に有効なのかを示すため、本発明者等がさくら湖（福島県三春ダム）で行ったオオクチバスの生態に関する調査について、以下、結果のみ簡単に説明する。
【００１８】
このダム湖は、流入する本支川に設置された前ダムの構造上の違いにより、同じ水系でもダム放流によって水位が低下する水域（水位低下域）と水位が殆ど変動しない水域（定水位域）がある。オオクチバスの捕獲調査の結果，定水位域において４４個体、水位低下域において２３個体、合計６７個体の当歳魚が捕獲された。捕獲された当歳魚の耳石日周輪に基づく推定孵化日を図２に示す。水位低下域で捕獲された当歳魚の推定孵化化日は５月２１日〜６月１２日であった。最も孵化日が集中していたのは、５月２３日前後であり、水位低下期の５月２９日〜６月１０日に孵化した個体は確認されなかった。また６月５日に水位低下中の水際では、孵化後２０日程度と推定される全長１０〜２０ｍｍ程度の当歳魚の群れが泥中に埋まって死亡しているのが確認された。他方、定水位域で捕獲された当歳魚の推定艀化日は５月６日〜６月１６日であった。最も孵化日が集中していたのは５月１０日前後であり、１個体のみであるが、水位低下期に孵化した個体も確認された。
【００１９】
成魚の生殖腺分析、当歳魚の耳石輪紋計数の結果、さくら湖における繁殖期は、日平均水温が１５℃から２１℃に上昇する５月上旬から６月下旬であると推定された。それにもかかわらず、水位低下後に採取した当歳魚には、水位低下域で孵化した個体が含まれなかったこと、水位低下中の湖岸で孵化後２０日程度の当歳魚の群れが水際で死亡しているのが確認されたことなどから、繁殖期に合わせた水位低下がオオクチバスの繁殖を抑制すると考えられ、日平均水温が１５℃から２１℃に上昇する時期に０．２７ｍ／日以上の速度で２．５ｍ以上（約９日間以上）水位低下することは、オオクチバスの繁殖抑制につながることが推察された。
【００２０】
オオクチバスは、繁殖期に水深１〜２．５ｍの砂礫底に産卵するため水際部に集まる。急激な水位低下によって当歳魚の捕獲はある程度可能であるが、十分ではない。また成魚は水位低下に対応可能なために逃げ延びる。湖沼によっては、大きな速度での水位低下が行えない場合も多い。しかし、本発明のように水際部を完全に包囲するように定置網を設置し、その後に水位を低下すると、水際部に集まった成魚も完全に袋網で捕獲でき、オオクチバスの駆除に極めて有効であることが分かる。なお、オオクチバスやブルーギルは、真冬でない限り比較的浅瀬に生息することが多いので、それら侵略的外来魚の捕獲は繁殖期に限られるものではないが、特に浅瀬に集まる繁殖期に捕獲を実施するのが駆除には最も効率的である。
【実施例】
【００２１】
図３は、本発明で用いる定置網ユニットの一実施例を示す説明図である。実際に設置される定置網は、この定置網ユニットを複数、連結した構造となる。各定置網ユニット１８は、袋網１４の両側に、下縁が水底に位置するように重り２０を設けると共に上縁部が水面よりも上方に突出するようにフロート２２を設けた袖網１６を配置する構成である。袖網１６の両側及び袋網１４の両側はファスナ構造２４として、自由に着脱可能とする。
【００２２】
本発明では、袖網１６の下部は水底との間に隙間ができないこと、袖網１６の上部は水面との間に隙間が開かないようにすることが重要である。そこで、袖網１６の下部は重り２０となる鎖とアンカーフックで横方向（長さ方向）全体にわたって水底に密着させて閉塞し、袖網１６の上部は多数のフロート２２を密に配列することによって水面に達するようにする。なお、袋網１４の内部には、１箇所以上の返し部２６を設けて、一旦袋網１４に入った魚が逃げだし難いようにしている。
【００２３】
袖網の縦（高さ）横（長さ）や袋網の大きさは任意であってよく、捕獲対象の規模などに応じたものを使用する。例えば袖網は、設置する水深に合わせて縦５ｍ程度とし、横寸法は取り扱い性を考慮して１０ｍ程度とするのがよい。また侵略的外来魚を捕獲する場合には、網目はブルーギルの繁殖に関与しうる最小の雄個体が通り抜けられないサイズ（１ｃｍ程度）とする。
【００２４】
実際の使用に際しては、このような定置網ユニット１８を、複数、互いに連結して所望の長さとする。その連結に際しては、袖網１６の側部のファスナを使用する。そのように定置網ユニットを直接連結するほか、間に別の袖網を１枚以上介して連結してもよい。その場合も、連結に際しては、袖網の側部のファスナが使用できる。従って、設置現場で、状況に応じて、長さ及び袋網の設置個数を自由に且つ容易に調整でき、捕獲対象としている水際部をほぼ完全に包囲できる。
【００２５】
図４は、本発明で用いる定置網ユニットの一実施例を示す説明図である。基本的な構成並びに使用方法などは、図３に示すものと同様なので、説明を簡略化するために、対応する部分には同一符号を付し、それらについての説明は省略する。
【００２６】
ここでは、三角形状の縦断面とすることで重心位置を下げ、上端縁が水面から数十ｃｍ程度立ち上がるようなフロート３０を使用する。このような三角柱状のフロート３０を、適当な間隔で配置すると共に、それらフロート３０の間及び袖網１６の上縁をつなぐように補助網３２を立てる。これによって、網の上部を魚が飛び越すのを防止でき、水際部における完全捕獲に寄与できる。
【００２７】
更に、網の回収を容易にするために、図４に示すように、袖網１６の中段にフロート３４付きロープ３６を取り付けておくのが好ましい。
【００２８】
上記の実施例ではフロートと補助網を組み合わせているが、補助網を用いずに、上端縁が水面から数十ｃｍ程度立ち上がるようなフロートを袖網の全長にわたって多数密に配列する構成でもよいし、フロート（高さが低くても構わない）上に補助網を袖網の全長にわたって立ち上げた構成も可能である。
【００２９】
本発明の定置網を、侵略的外来魚が浅瀬を主たる生息域とする時期、特に侵略的外来魚の繁殖期に、勾配がなだらかな入り江を閉塞するように設置することにより、オオクチバスやブルーギルなどの侵略的外来魚を、成魚も含めて様々なサイズの個体を、非常に効率よく捕獲駆除することが可能となる。そのため、それらの侵略的外来魚が在来の固有種ならびに有用生物資源に与える悪影響を解消することが可能となり、生態系を大幅に改善できる。
【００３０】
なお、本発明における「水位低下」は、魚類捕獲のために積極的に水位を低下させる場合の他、ダムの水位調整を行う場合などの水位低下を利用する場合も含まれる。
【図面の簡単な説明】
【００３１】
【図１】本発明に係る魚類の捕獲方法の説明図。
【図２】オオクチバスの生態を説明するグラフ。
【図３】本発明で用いる定置網ユニットの一実施例を示す説明図。
【図４】本発明で用いる定置網ユニットの他の実施例を示す説明図。
【符号の説明】
【００３２】
１０  定置網
１４  袋網
１６  袖網
１８  定置網ユニット
２０  重り
２２  フロート
【図１】
2005229943.tif 000003
【図２】
2005229943.tif 000004
【図３】
2005229943.tif 000005
【図４】
2005229943.tif 000006